(57)【要約】【課題】本を読む動作と同様の動作で閲覧が可能な電子機器する。または、新規な電子機器を提供する。【解決手段】第１乃至第４の表示パネルと、軸と、を有し、第１乃至第４の表示パネルは、可撓性を有し、第１乃至第４の表示パネルは、第１の面と、前記第１の面と対向する第２の面を有し、第１乃至第４の表示パネルは、第１の面に表示部を有し、第１乃至第４の表示パネルは、それぞれ第２の面において第１乃至第４のＦＰＣと電気的に接続され、第１乃至第４のＦＰＣは、それぞれ第１乃至第４の表示パネルのうち２つの表示パネルによって挟持され、軸は、動作回路を有し、第１乃至第４の表示パネルは、それぞれ第１乃至第４のＦＰＣを介して動作回路と電気的に接続される、電子機器とする。【選択図】図１
2018010199.tif 000002
【特許請求の範囲】
【請求項１】
第１乃至第４の表示パネルと、軸と、を有し、
前記第１乃至第４の表示パネルは、可撓性を有し、
前記第１乃至第４の表示パネルは、第１の面と、前記第１の面と対向する第２の面を有し、
前記第１乃至第４の表示パネルは、前記第１の面に表示部を有し、
前記第１乃至第４の表示パネルは、前記第２の面において第１乃至第４のＦＰＣと電気的に接続され、
前記第１のＦＰＣは、前記第４の表示パネルおよび前記第１の表示パネルによって挟持され、
前記第２のＦＰＣは、前記第１の表示パネルおよび前記第２の表示パネルによって挟持され、
前記第３のＦＰＣは、前記第２の表示パネルおよび前記第３の表示パネルによって挟持され、
前記第４のＦＰＣは、前記第３の表示パネルおよび前記第４の表示パネルによって挟持され、
前記軸は、動作回路を有し、
前記第１乃至第４の表示パネルは、それぞれ前記第１乃至第４のＦＰＣを介して前記動作回路と電気的に接続される、
電子機器。
【請求項２】
請求項１において、
筐体と、ローラと、モータと、を有し、
前記軸は、前記筐体に対して回転可能に固定され、
前記ローラは、前記筐体の内部の、前記第１乃至第４の表示パネルより下部に設けられ、
前記モータは、前記ローラの回転軸と接続される、
電子機器。
【請求項３】
請求項２において、
前記ローラは、前記軸と重なる位置に設けられる、
電子機器。
【請求項４】
請求項１乃至請求項３のいずれか一において、
バッテリを有し、
前記バッテリは、前記軸の内部に設けられる、
電子機器。
【請求項５】
請求項１乃至請求項３のいずれか一において、
バッテリを有し、
前記バッテリは、前記筐体の底面上に設けられる、
電子機器。
【請求項６】
請求項１乃至請求項５のいずれか一において、
近接センサを有し、
前記近接センサは、前記モータと電気的に接続され、
前記近接センサは、物体の近接を検出する機能を有し、
前記近接センサは、検出媒体が直流磁界、交流磁界、電界、電磁波、光または超音波である、
電子機器。
【請求項７】
請求項６において、
前記近接センサは、第１のセンサ部分を有し、
前記第１のセンサ部分は、前記軸の延伸方向と垂直に交わる面による断面視において、前記軸の中心および前記ローラの頂部と一直線上に並ぶように設けられる、
電子機器。
【請求項８】
請求項６において、
前記近接センサは、第１のセンサ部分および第２のセンサ部分を有し、
前記第１のセンサ部分および前記第２のセンサ部分は、上面視において前記軸の延伸方向と垂直に交わる方向に並べて設けられる、
電子機器。
【請求項９】
請求項１乃至請求項８のいずれか一において、
前記第１乃至第４の表示パネルは、反射型の表示素子と、発光型の表示素子とを有する、
電子機器。
【請求項１０】
請求項９において、
前記反射型の表示素子は、液晶素子であり、
前記発光型の表示素子は、有機ＥＬ素子である、
電子機器。
【請求項１１】
請求項７に記載の電子機器の駆動方法であって、
前記モータは、前記第１のセンサ部分が前記第１の表示パネルの近接を検出する間は前記ローラを回転させ続ける、
電子機器の駆動方法。
【請求項１２】
請求項８に記載の電子機器の駆動方法であって、
前記モータは、少なくとも前記第１のセンサ部分または前記第２のセンサ部分のいずれか一方が前記第１の表示パネルの近接を検出する間は前記ローラを回転させ続ける、
電子機器の駆動方法。
【発明の詳細な説明】
【技術分野】
【０００１】
本発明の一態様は、電子機器に関する。または、本発明の一態様は、電子機器の駆動方法に関する。または、本発明の一態様は、表示装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
可撓性を有する表示装置（フレキシブルディスプレイともいう）の開発が進められている。フレキシブルディスプレイとしては、例えば表示素子として有機ＥＬ素子を用いたフレキシブルディスプレイが知られている（特許文献１）。フレキシブルディスプレイは、軽量で可搬性に優れる等の特徴を備え、スマートフォンやタブレット端末の次代を担う表示装置としてその開発が期待されている。
【０００４】
また、フレキシブルディスプレイが紙のように薄いことを利用して、フレキシブルディスプレイに文字や絵などを表示させて閲覧する際に、本を読む動作と感覚的に近い操作を行える技術が知られている。例えば、特許文献２には、表示部に曲げセンサを内蔵し、表示部の曲げ量に応じた速度で表示をスクロールさせる情報表示端末装置が開示されている。
【先行技術文献】
【特許文献】
【０００５】
【特許文献１】特開２０１４−１９７５２２号公報
【特許文献２】米国特許出願公開第２００９／０２１９２４７号明細書
【発明の概要】
【発明が解決しようとする課題】
【０００６】
しかしながら、特許文献２に開示されている技術ではページをめくる操作が本を読む動作に近いものの、フレキシブルディスプレイの端部（一部）を持ち上げる動作にとどまっており、読書において次のページを読むためにページをめくり切る動作は再現されていない。また、特許文献２に開示されている情報表示端末装置は表示部が１つしかなく、本のようにページの裏にも絵や文章が記載されている状況を再現できない。
【０００７】
本発明の一態様は、本を読む動作と同様の動作で閲覧が可能な電子機器を提供することを課題の一とする。または、新規な電子機器を提供することを課題の一とする。
【０００８】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
本発明の一態様は、第１乃至第４の表示パネルと、軸と、を有し、第１乃至第４の表示パネルは、可撓性を有し、第１乃至第４の表示パネルは、第１の面と、第１の面と対向する第２の面を有し、第１乃至第４の表示パネルは、第１の面に表示部を有し、第１乃至第４の表示パネルは、それぞれ第２の面において第１乃至第４のＦＰＣと電気的に接続され、第１のＦＰＣは、第４の表示パネルおよび第１の表示パネルによって挟持され、第２のＦＰＣは、第１の表示パネルおよび第２の表示パネルによって挟持され、第３のＦＰＣは、第２の表示パネルおよび第３の表示パネルによって挟持され、第４のＦＰＣは、第３の表示パネルおよび第４の表示パネルによって挟持され、軸は、動作回路を有し、第１乃至第４の表示パネルは、それぞれ第１乃至第４のＦＰＣを介して動作回路と電気的に接続される、電子機器である。
【００１０】
また、筐体と、ローラと、モータと、を有し、軸は、筐体に対して回転可能に固定され、ローラは、筐体の内部の、第１乃至第４の表示パネルより下部に設けられ、モータは、ローラの回転軸と接続される上記の電子機器も、本発明の一態様である。
【００１１】
また、ローラは、軸と重なる位置に設けられる上記の電子機器も、本発明の一態様である。
【００１２】
また、バッテリを有し、バッテリは、軸の内部に設けられる上記の電子機器も、本発明の一態様である。
【００１３】
また、バッテリを有し、バッテリは、筐体の底面上に設けられる上記の電子機器も、本発明の一態様である。
【００１４】
また、近接センサを有し、近接センサは、モータと電気的に接続され、近接センサは、物体の近接を検出する機能を有し、近接センサは、検出媒体が直流磁界、交流磁界、電界、電磁波、光または超音波である上記の電子機器も、本発明の一態様である。
【００１５】
また、近接センサは、第１のセンサ部分を有し、第１のセンサ部分は、軸の延伸方向と垂直に交わる面による断面視において、軸の中心およびローラの頂部と一直線上に並ぶように設けられる上記の電子機器も、本発明の一態様である。
【００１６】
また、近接センサは、第１のセンサ部分および第２のセンサ部分を有し、第１のセンサ部分および第２のセンサ部分は、上面視において軸の延伸方向と垂直に交わる方向に並べて設けられる上記の電子機器も、本発明の一態様である。
【００１７】
また、第１乃至第４の表示パネルは、反射型の表示素子と、発光型の表示素子とを有する上記の電子機器も、本発明の一態様である。
【００１８】
また、反射型の表示素子は、液晶素子であり、発光型の表示素子は、有機ＥＬ素子である上記の電子機器も、本発明の一態様である。
【００１９】
本発明の一態様は、上記の電子機器の駆動方法であって、モータは、第１のセンサ部分が第１の表示パネルの近接を検出する間は前記ローラを回転させ続ける電子機器の駆動方法である。
【００２０】
また、上記の電子機器の駆動方法であって、モータは、少なくとも第１のセンサ部分または第２のセンサ部分のいずれか一方が第１の表示パネルの近接を検出する間はローラを回転させ続ける電子機器の駆動方法も、本発明の一態様である。
【発明の効果】
【００２１】
本発明の一態様によれば、本を読む動作と同様の動作で閲覧が可能な電子機器を提供できる。または、本発明の一態様によれば、新規な電子機器を提供できる。
【００２２】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２３】
【図１】実施の形態に係る電子機器の構成を説明する図。
【図２】実施の形態に係る電子機器の構成を説明する図。
【図３】実施の形態に係る電子機器の構成を説明する図。
【図４】実施の形態に係る電子機器の駆動方法を説明する図。
【図５】実施の形態に係る電子機器の駆動方法を説明する図。
【図６】実施の形態に係る電子機器の構成を説明する図。
【図７】実施の形態に係る電子機器の構成を説明する図。
【図８】実施の形態に係る表示パネルの斜視図。
【図９】実施の形態に係る表示パネルの断面図。
【図１０】実施の形態に係る画素の構成例を示す回路図。
【図１１】実施の形態に係る画素の構成例を示す回路図。
【発明を実施するための形態】
【００２４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２５】
また、図面において、大きさ、層の厚さ、または領域は、明瞭化のために誇張されている場合がある。よって、必ずしもそのスケールに限定されない。なお図面は、理想的な例を模式的に示したものであり、図面に示す形状または値などに限定されない。
【００２６】
また、本明細書にて用いる「第１」、「第２」、「第３」という序数詞は、構成要素の混同を避けるために付したものであり、数的に限定するものではないことを付記する。
【００２７】
また、本明細書において、「上に」、「下に」などの配置を示す語句は、構成同士の位置関係を、図面を参照して説明するために、便宜上用いている。また、構成同士の位置関係は、各構成を描写する方向に応じて適宜変化するものである。従って、明細書で説明した語句に限定されず、状況に応じて適切に言い換えることができる。
【００２８】
また、本明細書等において、トランジスタとは、ゲートと、ドレインと、ソースとを含む少なくとも三つの端子を有する素子である。そして、ドレイン（ドレイン端子、ドレイン領域またはドレイン電極）とソース（ソース端子、ソース領域またはソース電極）の間にチャネル領域を有しており、ドレインとチャネル領域とソースとを介して電流を流すことができるものである。なお、本明細書等において、チャネル領域とは、電流が主として流れる領域をいう。
【００２９】
また、ソースやドレインの機能は、異なる極性のトランジスタを採用する場合や、回路動作において電流の方向が変化する場合などには入れ替わることがある。このため、本明細書等においては、ソースやドレインの用語は、入れ替えて用いることができるものとする。
【００３０】
また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、キャパシタ、その他の各種機能を有する素子などが含まれる。
【００３１】
また、本明細書等において、酸化窒化シリコン膜とは、その組成として、窒素よりも酸素の含有量が多い膜を表し、窒化酸化シリコン膜とは、その組成として、酸素よりも窒素の含有量が多い膜を表す。
【００３２】
また、本明細書等において、「平行」とは、二つの直線が−１０°以上１０°以下の角度で配置されている状態をいう。したがって、−５°以上５°以下の場合も含まれる。また、「略平行」とは、二つの直線が−３０°以上３０°以下の角度で配置されている状態をいう。また、「垂直」とは、二つの直線が８０°以上１００°以下の角度で配置されている状態をいう。したがって、８５°以上９５°以下の場合も含まれる。また、「略垂直」とは、二つの直線が６０°以上１２０°以下の角度で配置されている状態をいう。
【００３３】
また、本明細書等において、「膜」という用語と、「層」という用語とは、場合によっては、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００３４】
なお、「半導体」と表記した場合でも、例えば、導電性が十分低い場合は「絶縁体」としての特性を有する場合がある。また、「半導体」と「絶縁体」は境界が曖昧であり、厳密に区別できない場合がある。したがって、本明細書に記載の「半導体」は、「絶縁体」と言い換えることができる場合がある。同様に、本明細書に記載の「絶縁体」は、「半導体」と言い換えることができる場合がある。
【００３５】
本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む）、酸化物半導体（Ｏｘｉｄｅ  Ｓｅｍｉｃｏｎｄｕｃｔｏｒまたは単にＯＳともいう）などに分類される。例えば、トランジスタの半導体層に金属酸化物を用いた場合、当該金属酸化物を酸化物半導体と呼称する場合がある。つまり、ＯＳ  ＦＥＴと記載する場合においては、金属酸化物または酸化物半導体を有するトランジスタと換言することができる。
【００３６】
（実施の形態１）
本発明の一態様の電子機器は、複数の表示パネルを備える。具体的には、４つの表示パネルを備える。該複数の表示パネルは可撓性を有する。また、回転可能な軸を備え、該複数の表示パネルはそれぞれが該軸に接続される。
【００３７】
本発明の一態様の電子機器は、本の見開きのように一の表示パネルを軸に線対称に配置できる。また、一の表示パネルの下側に、それぞれ１つ以上の表示パネルを配置できる。
【００３８】
よって、一の表示パネルをめくると他の一の表示パネルが視認できるため、本発明の一態様の電子機器は本を読む動作と同様の動作で閲覧が可能である。
【００３９】
また、本発明の一態様の電子機器は本のページのつなぎ目にあたる部分がないため、本で言う見開きの状態において大画面で表示を行うことができる。
【００４０】
以下より、本発明の一態様の電子機器について、図１乃至図５を用いて説明する。
【００４１】
なお、本明細書において「第１の」「第２の」等の序数が付いた要素は互いに入れ換えが可能である。
【００４２】
＜電子機器の構成＞
図１（Ａ）に、本発明の一態様の電子機器１００の斜視図を示す。図１（Ｂ）は、図１（Ａ）に示す一点鎖線Ａ１−Ａ２に対応する断面図である。
【００４３】
電子機器１００は、４つの表示パネル（表示パネル１０１、表示パネル１０２、表示パネル１０３および表示パネル１０４を指す。以下、「各表示パネル」とも表記する）と、軸１１１と、筐体１１２と、支持体１１３と、額縁１１４と、を有する（図１（Ａ）、（Ｂ）参照）。
【００４４】
各表示パネルは、可撓性を有する。
【００４５】
各表示パネルは第１の面および第１の面と対向する第２の面を有し、表示部が第１の面に設けられる。具体的には、表示パネル１０１は第１の面に表示部１０１Ｄを有する。表示パネル１０２は第１の面に表示部１０２Ｄを有する。表示パネル１０３は第１の面に表示部１０３Ｄを有する。表示パネル１０４は第１の面に表示部１０４Ｄを有する。第２の面は、各表示パネルの第１の面の裏面に相当する。
【００４６】
各表示パネルは、それぞれ第２の面においてＦＰＣと電気的に接続される。具体的には、表示パネル１０１、表示パネル１０２、表示パネル１０３および表示パネル１０４は、それぞれＦＰＣ１０１Ｆ、ＦＰＣ１０２Ｆ、ＦＰＣ１０３Ｆ、ＦＰＣ１０４Ｆと電気的に接続される。また、各ＦＰＣは、それぞれ隣り合う２つの表示パネルによって挟持される。具体的には、ＦＰＣ１０１Ｆは表示パネル１０４および表示パネル１０１によって挟持され、ＦＰＣ１０２Ｆは表示パネル１０１および表示パネル１０２によって挟持され、ＦＰＣ１０３Ｆは表示パネル１０２および表示パネル１０３によって挟持され、ＦＰＣ１０４Ｆは表示パネル１０３および表示パネル１０４によって挟持される。また、各ＦＰＣは、軸１１１と電気的に接続される。図１（Ｃ）に、図１（Ｂ）の破線枠内の拡大図を示す。また図２（Ａ）に、表示パネル１０１の描出を省略した電子機器１００の斜視図を示す。
【００４７】
各表示パネルが有する表示部は、表示素子を備える複数の画素を有する。表示素子としては、有機ＥＬ（Ｅｌｅｃｔｒｏ  Ｌｕｍｉｎｅｓｃｅｎｃｅ）素子、液晶素子、電気泳動素子などを用いることができる。よって、電子機器１００は表示装置ということもできる。なお、各表示パネルが有する表示素子が、それぞれ同じであってもよいし、異なっていてもよい。また、任意の一の表示パネルにおける表示部が、２種類以上の表示素子を有していてもよい。例えば、表示部が、有機ＥＬ素子および液晶素子を有していてもよい。
【００４８】
なお、上記の各表示部に、インセル方式のタッチセンサが組み込まれていてもよい。また、各表示パネルの第１の面および第２の面の少なくとも一方に、可撓性を有するタッチパネルを設けてもよい。該タッチパネルとしては特に限定されず、静電容量方式、抵抗膜方式、赤外線方式、光学方式、感圧方式など様々な方式を用いることができる。図２（Ｂ）に、隣り合う２つの表示パネルの間に感圧方式のタッチパネルを設ける場合の電子機器１００の一例を示す。図２（Ｂ）は、表示パネル１０１の描出を省略した斜視図である。
【００４９】
図２（Ｂ）において、タッチパネル１１５Ｔ４１は表示パネル１０４の第２の面および表示パネル１０１の第２の面に接して設けられ、タッチパネル１１５Ｔ１２は表示パネル１０１の第２の面および表示パネル１０２の第２の面に接して設けられる。各タッチパネルのタッチ検出部が、挟持する２つの表示パネルの表示部と重なるように設けることが好ましい。このとき、ＦＰＣはタッチパネルと重ならない位置に設けることができる。
【００５０】
電子機器１００はローラ１２１およびモータ１２２を有する。（図１（Ｂ）、図３（Ａ）参照）。図３（Ａ）は電子機器１００の背面斜視図であり、図３（Ａ）において筐体１１２はその外形の輪郭のみを破線および点線で示している。筐体１１２の外表面に対応する輪郭を破線で示し、筐体１１２の内表面に対応する輪郭を点線で示している。
【００５１】
支持体１１３は、各表示パネルの端部と軸１１１とを接続する機能を有する。支持体１１３としては、各表示パネルのページめくり動作を滑らかに行えるように軟らかい材料を用いる。また、額縁１１４はＦＰＣを挟んで対向する２つの表示パネルの縁同士の間隔を一定以内に保持する機能を有する。額縁１１４としては、各表示パネルの可撓性を損なわないように軟らかい材料を用いる。支持体１１３および額縁１１４に用いる材料としては、例えばシリコーンゴム、フッ化ゴム等のゴム材料を用いることができる。
【００５２】
本明細書では、一のＦＰＣを挟持して互いに重畳する領域の２つの表示パネルの一部を、それらを固定する一の額縁１１４も含めて一のページ、または単にページと呼ぶ場合がある。
【００５３】
軸１１１は、各表示パネルの表示を制御するための動作回路（図示しない）を有する。動作回路は、各表示パネルを電源オンオフおよび表示内容を個別に制御することができる。また、軸１１１の内部には動作回路と電気的に接続されるバッテリ（図示しない）が設けられる。
【００５４】
なお、バッテリが筐体１１２の内部（例えば筐体１１２の底面上）に設けられていてもよい。バッテリが筐体１１２の底面上に設けられる構成については実施の形態２で説明する。
【００５５】
各表示パネルと電気的に接続されるＦＰＣはそれぞれが軸１１１と固定される。例えば、図１（Ｂ）の断面視においてＦＰＣ１０１Ｆ、ＦＰＣ１０２Ｆ、ＦＰＣ１０３ＦおよびＦＰＣ１０４Ｆが軸１１１に対して放射状に突出するように、各ＦＰＣは軸１１１と固定される。また、軸１１１は筐体１１２に回転可能に固定できる。例えば、軸１１１は筐体１１２に対して回転可能に固定できる回転軸１２６を有する（図２（Ａ）参照）。これらの構成とすることで、使用者が一のページの一部を把持して軸１１１をまたいで反対側へ送る動作、すなわちページめくり動作を隣接する他の一のページに対して連続して行うことができる。
【００５６】
ところで、回転軸１２６が筐体１１２に対して着脱可能であってもよい。この場合、軸１１１および各表示パネルを筐体１１２から取り外して使用可能であってもよい。すなわち、軸１１１および各表示パネルも、本発明の一態様の電子機器である。
【００５７】
ローラ１２１は、筐体１１２の内部の各表示パネルより下側に設けられる（図１（Ｂ）、図３（Ａ）参照）。ローラ１２１は回転軸１２７を介してモータ１２２と接続される。モータ１２２が駆動することでモータ１２２はローラ１２１を回転させることができる。なお、図１（Ｂ）および図３（Ａ）ではローラ１２１が軸１１１と重なる位置に設けられる例を示しているが、ローラ１２１を軸１１１と重ならない位置に設けてもよい。また、図３（Ａ）ではローラ１２１が２つ設けられる例を示しているが、ローラ１２１は１つでもよく、３つ以上あってもよい。例えば、表示パネル１０１と重なる位置、および表示パネル１０２と重なる位置のそれぞれに、一または複数のローラ１２１を設けてもよい。
【００５８】
ローラ１２１が任意の一のページと接触している状態でローラ１２１が回転することで、該一のページを軸１１１に対して反対側へ移動させることができる。よって、電子機器１００がローラ１２１を有することで、上記のページめくり動作を電子機器１００が有する表示パネルの数に限定されずに、同じ方向に何度でも行うことができる。
【００５９】
例えば、ローラ１２１は使用者が一の表示パネルのページめくりが完了した時点で、または完了する前に回転させることで、軸１１１の左右両側にページが２つずつ位置する状態を維持することができる。よって、一のページをめくると他の一のページが視認できるため、電子機器１００は本を読む動作と同様の動作で閲覧が可能である。
【００６０】
ローラ１２１を回転させるタイミングは使用者が判断して決めてもよい。例えば、モータ１２２の駆動を制御するスイッチまたはボタンを、筐体１１２の外面に設ければよい。また、ページめくり動作の進行に合わせてローラ１２１が回転する構成とすることで、電子機器１００をさらに本を読む感覚で使用することができる。
【００６１】
図３（Ｂ）に、近接センサ１２５を有する本発明の一態様の電子機器１００Ａの背面斜視図を示す。電子機器１００Ａは主に近接センサ１２５を有する点が電子機器１００と異なる。近接センサ１２５は、例えば軸１１１と少なくとも一部が重なる位置に設けられる。
【００６２】
近接センサ１２５は、物体の近接を検出する機能を有する。近接センサ１２５が用いることのできる検出媒体としては、直流磁界、交流磁界、電界、電磁波、光、超音波などが挙げられる。
【００６３】
近接センサ１２５のセンサ部分（図示しない）は、任意の一のページがローラ１２１に接触した際に、該一のページの近接または接触を検出できるように検出感度を設定し、筐体１１２内に位置を定めることが好ましい。図３（Ｂ）では該センサ部分を、ローラ１２１の図のＹ方向の頂部を通りかつ軸１１１の延伸方向に延びる直線と重なる位置に設ける例を示している。
【００６４】
近接センサ１２５はモータ１２２と電気的に接続される。このような構成とすることで、近接センサ１２５による表示パネルの近接または接触の検出信号を、モータ１２２の駆動のトリガーとすることができる。なお、近接センサ１２５が、該検出信号をモータ１２２の駆動を制御する信号に変換する回路を備えていてもよい。
【００６５】
図３（Ｂ）ではローラ１２１および近接センサ１２５が軸１１１と重なる位置に設けられ、モータ１２２と近接センサ１２５が重ならない位置に設けられる例を示している。モータ１２２は、ローラ１２１が有する回転軸１２７とは異なる回転軸１２８を有する。電子機器１００Ａは、回転軸１２８の回転を回転軸１２７に伝えるプーリ１２３を有する。なお、プーリ１２３のかわりに、回転軸１２７および回転軸１２８にギヤが設けられ、それぞれのギヤが互いにかみ合う構成としてもよい。また、図２（Ａ）においてモータ１２２上に近接センサ１２５を設ける構成としてもよい。
【００６６】
＜電子機器の駆動方法１＞
ここで、ページめくり動作における電子機器１００Ａの駆動方法について、図４を用いて説明する。図４（Ａ）乃至（Ｄ）は、電子機器１００Ａの一部の要素のみを描出した断面模式図であり、一のページをめくる、例えば表示パネル１０１の一部および表示パネル１０２の一部を含むページを軸１１１より上側で軸１１１と反対側に移動させるまでの電子機器１００Ａの各状態を示している。
【００６７】
なお、ここでは説明のため、表示パネル１０１の一部および表示パネル１０２の一部を含むページをページ１３１とする。同様に、表示パネル１０２の一部および表示パネル１０３の一部を含むページ、表示パネル１０３の一部および表示パネル１０４の一部を含むページ、および表示パネル１０４の一部および表示パネル１０１の一部を含むページをそれぞれページ１３２、ページ１３３、ページ１３４とする。
【００６８】
また、図４（Ａ）乃至（Ｄ）ではセンサ部分１２５ａが近接センサ１２５上に設けられる構成を示すが、センサ部分１２５ａが近接センサ１２５に含まれていてもよい。センサ部分１２５ａは、例えば、軸１１１の延伸方向と垂直に交わる面による断面視において、軸１１１の中心１１１Ｃおよびローラ１２１の頂部１２１Ｔと一直線上に並ぶように設ける（図４（Ａ）参照）。
【００６９】
（第１の状態）
軸１１１の右側ではページ１３２上にページ１３１が位置し、軸１１１の左側ではページ１３３上にページ１３４が位置する（図４（Ａ）参照）。
【００７０】
第１の状態において、使用者は表示部１０１Ｄに画像を表示させて閲覧できる。このとき、表示パネル１０２、表示パネル１０３および表示パネル１０４は電源をオフにすることができる。使用者が電子機器１００Ａの閲覧に使用する以外の表示パネルを電源オフとすることで、電子機器１００Ａの消費電力を下げることができる。
【００７１】
（第２の状態）
図４（Ｂ）は第１の状態を開始状態として使用者がページ１３１をめくっている途中の状態、すなわち、使用者がページ１３１の一部を把持し、軸１１１より上側で軸１１１と反対側に移動させる途中の状態を示す図である。使用者がページ１３１を図の矢印１３６の方向に引っ張ることで、軸１１１は図の破線矢印の向きに回転する。各ページ（ページ１３２、ページ１３３、ページ１３４）は該回転に伴って移動する。
【００７２】
第１の状態からある角度以上に軸１１１が回転すると、ページ１３３（より具体的には、表示パネル１０３）がローラ１２１と接触する。ローラ１２１がページ１３３に接触する直前または直後にモータ１２２（図示しない）が駆動し、ローラ１２１が回転を始めることが好ましい。図４（Ｂ）では、ページ１３３が近接センサ１２５のセンサ部分１２５ａの検出可能領域に達する直前の状態であり、図４（Ｂ）に示す状態からさらに軸１１１が回転すると、モータ１２２が駆動してローラ１２１が回転を開始する。
【００７３】
第２の状態において、使用者は表示部１０１Ｄ、表示部１０２Ｄに画像を表示させて閲覧できる。このとき、表示パネル１０３、表示パネル１０４は電源をオフにすることができる。
【００７４】
第１の状態と第２の状態の間で表示部１０２Ｄに画像を表示させるタイミングは使用者が判断して決めてもよい。例えば、各表示パネルの電源および／または各表示パネルの表示部の表示／非表示の切り替えを制御するスイッチまたはボタンを、筐体１１２の外面に設ければよい。また、ページめくり動作の進行に合わせて表示部１０２Ｄに画像を表示させる構成とすることで、電子機器１００Ａをさらに本を読む感覚で使用することができる。
【００７５】
例えば、各表示パネルの一部（表示パネルの端部など）にタッチパネルを設け、使用者がページをめくるために一のページ（図４（Ｂ）ではページ１３１）を把持する動作を検出した時点で表示部１０２Ｄに画像を表示させる構成とすることができる。また、各表示パネルがタッチセンサを有する、または各表示パネルの両面にタッチパネルが設けられている場合は、該タッチパネルの一部の領域のタッチ検出を表示部１０２Ｄに画像を表示させるトリガーとして用いてもよい。
【００７６】
（第３の状態）
図４（Ｃ）はローラ１２１が実線矢印の向きに回転してページ１３３を軸１１１より下側で軸１１１と反対側（右側）に移動させている途中の状態を示す図である。また、図４（Ｃ）は使用者がページ１３１をめくり終わった状態である。
【００７７】
第３の状態において、使用者は表示部１０２Ｄに画像を表示させて閲覧できる。このとき、表示パネル１０１、表示パネル１０３および表示パネル１０４は電源をオフにすることができる。
【００７８】
第２の状態と第３の状態の間で表示部１０１Ｄの表示をオフにするタイミングは使用者が判断して決めてもよく、また上記と同様にタッチパネルまたはタッチセンサのタッチ検出と該表示のオフを連動させてもよい。例えば、上述のように使用者がページ１３１を把持することでタッチが検出されて表示部１０２Ｄに画像が表示された状態（第２の状態）に続いて、ページをめくり終わって使用者がページ１３１から手を離すことでタッチが検出されなくなった時点で表示部１０１Ｄの表示をオフにすればよい。
【００７９】
（第４の状態）
図４（Ｄ）はページ１３３がローラ１２１の回転によって軸１１１の右側に移動し終えた状態を示す図である。第４の状態において、軸１１１の左側ではページ１３４上にページ１３１が位置し、軸１１１の右側ではページ１３３上にページ１３２が位置する。よって、第１の状態と同様に軸１１１の左右両側に表示パネルが２つずつ位置する状態であるため、引き続いて次のページ（ページ１３２）をめくる動作が可能となる。
【００８０】
第４の状態においては、ローラ１２１は回転を停止している。第３の状態と第４の状態の間でローラ１２１が停止するタイミングは適宜設定することができる。例えば、センサ部分１２５ａが一のページ（図４（Ｃ）ではページ１３３）の近接を検出しなくなった直後、または検出しなくなってから一定時間経過後にモータ１２２の駆動を停止し、ローラ１２１の回転を停止させることができる。または、センサ部分１２５ａが一の表示パネルの近接を検出している間は、モータ１２２がローラ１２１を回転させ続けるようにすればよい。
【００８１】
なお、図４（Ａ）乃至（Ｄ）では近接センサ１２５が１つのセンサ部分１２５ａを有する例を示したが、近接センサ１２５がセンサ部分を複数有していてもよい。または、本発明の一態様の電子機器に複数の近接センサ１２５が設けられていてもよい。
【００８２】
＜電子機器の駆動方法２＞
以下より、上記と異なる電子機器１００Ｂのページめくり動作における駆動方法について、図５を用いて説明する。図５（Ａ）乃至（Ｃ）は、電子機器１００Ｂの一部の要素のみを描出した断面模式図である。
【００８３】
電子機器１００Ｂは、近接センサ１２５が２つのセンサ部分１２５ｂ、１２５ｃを有する点を除いて電子機器１００Ａと同様である。よって、電子機器１００Ｂのこの点以外の構成については電子機器１００Ａの説明を援用できる。
【００８４】
センサ部分１２５ｂおよびセンサ部分１２５ｃは、図５（Ｂ）に示すようにローラ１２１が任意の一のページ（図５（Ｂ）ではページ１３１）を送る方向に平行な方向（図５（Ｂ）に示すＸ方向）、換言すると上面視において軸１１１の延伸方向と垂直に交わる方向に並べて配置することが好ましい。このような配置とすることで、ページめくり動作が順送り（軸１１１の右側にあるページを左側にめくる）であるか逆送り（軸１１１の左側にあるページを右側にめくる）であるかを判別することができる。
【００８５】
なお、図５（Ａ）乃至（Ｃ）ではセンサ部分１２５ｂ、１２５ｃが近接センサ１２５上に設けられる構成を示すが、センサ部分１２５ｂ、１２５ｃが近接センサ１２５に含まれていてもよい。
【００８６】
（第５の状態）
軸１１１の左側ではページ１３３上にページ１３４が位置し、軸１１１の右側ではページ１３２上にページ１３１が位置する（図５（Ａ）参照）。
【００８７】
第５の状態において、使用者は表示部１０１Ｄに画像を表示させて閲覧できる。このとき、表示パネル１０２、表示パネル１０３および表示パネル１０４は電源をオフにすることができる。
【００８８】
（第６の状態）
図５（Ｂ）は第５の状態を開始状態として、使用者が順送り方向にページ（ページ１３１）をめくっている途中の状態を示す図である。使用者がページ１３１を図の矢印１３７の方向に引っ張ることで、軸１１１は図の破線矢印の向きに回転する。
【００８９】
軸１１１の回転に伴ってページ１３３は移動するが、センサ部分１２５ｂ、１２５ｃ、ページ１３３の位置関係より、ページ１３３はセンサ部分１２５ｂよりも先にセンサ部分１２５ｃに近づく（図５（Ｂ）参照）。
【００９０】
センサ部分１２５ｂおよびセンサ部分１２５ｃの検出感度を同程度に設定することで、第６の状態においてセンサ部分１２５ｃが先にページ１３３の近接または接触を検出することができる。よって、センサ部分１２５ｂより先にセンサ部分１２５ｃが近接または接触を検出した場合に図５（Ｂ）の実線矢印の向きにローラ１２１を回転させることで、ページ１３３を、ページ１３１をめくる向きと反対側（軸１１１に対して右側）に送ることができる。
【００９１】
なお、第６の状態からローラ１２１が停止するタイミングは適宜設定することができる。例えば、センサ部分１２５ｂが一のページ（図５（Ｂ）ではページ１３３）の近接を検出しなくなった直後、または検出しなくなってから一定時間経過後にモータ１２２の駆動を停止し、ローラ１２１の回転を停止させることができる。
【００９２】
第６の状態において、使用者は表示部１０１Ｄ、表示部１０２Ｄに画像を表示させて閲覧できる。このとき、表示パネル１０３、表示パネル１０４は電源をオフにすることができる。
【００９３】
（第７の状態）
図５（Ｃ）は第５の状態を開始状態として、使用者が逆送り方向にページ（ページ１３４）をめくっている途中の状態を示す図である。使用者が表示パネル１０１を図の矢印１３８の方向に引っ張ることで、軸１１１は図の破線矢印の向きに回転する。
【００９４】
軸１１１の回転に伴ってページ１３２は移動するが、センサ部分１２５ｂ、１２５ｃ、ページ１３２の位置関係より、ページ１３２はセンサ部分１２５ｃよりも先にセンサ部分１２５ｂに近づく（図５（Ｃ）参照）。
【００９５】
センサ部分１２５ｂおよびセンサ部分１２５ｃの検出感度を同程度に設定することで、第７の状態においてセンサ部分１２５ｂが先にページ１３２の近接または接触を検出することができる。よって、センサ部分１２５ｃより先にセンサ部分１２５ｂが近接または接触を検出した場合に図５（Ｃ）の実線矢印の向きにローラ１２１を回転させることで、ページ１３２を、ページ１３４をめくる向きと反対側（軸１１１に対して左側）に送ることができる。
【００９６】
なお、第７の状態からローラ１２１が停止するタイミングは適宜設定することができる。例えば、センサ部分１２５ｃが一のページ（図５（Ｃ）ではページ１３２）の近接を検出しなくなった直後、または検出しなくなってから一定時間経過後にモータ１２２の駆動を停止し、ローラ１２１の回転を停止させることができる。
【００９７】
第７の状態において、使用者は表示部１０４Ｄ、表示部１０１Ｄに画像を表示させて閲覧できる。このとき、表示パネル１０２、表示パネル１０３は電源をオフにすることができる。
【００９８】
以上のように、電子機器１００Ｂにおいて、少なくともセンサ部分１２５ｂまたはセンサ部分１２５ｃのいずれか一方が一のページの近接を検出している間は、モータ１２２がローラ１２１を回転させ続けるようにすることで、順送りおよび逆送りのページめくり動作を何度でも行うことができる。
【００９９】
本実施の形態は、少なくともその一部を本明細書中に記載する他の実施の形態と適宜組み合わせて実施することができる。
【０１００】
（実施の形態２）
本実施の形態では、実施の形態１で説明する電子機器１００とは一部の構成が異なる電子機器１５０について、図６および図７を用いて説明する。なお、電子機器１５０の構成のうち、電子機器１００が有する構成については実施の形態１の説明を援用できる。
【０１０１】
＜電子機器の構成＞
図６（Ａ）に、本発明の一態様の電子機器１５０の斜視図を示す。図６（Ｂ）は、図６（Ａ）に示す一点鎖線Ａ３−Ａ４に対応する断面図である。また、図７（Ａ）には図６（Ａ）とは異なる方向から見た電子機器１５０の斜視図を示す。図７（Ａ）において筐体１１２はその外形の輪郭のみを破線および点線で示している。筐体１１２の外表面に対応する輪郭を破線で示し、筐体１１２の内表面に対応する輪郭を点線で示している。
【０１０２】
電子機器１５０は、４つの表示パネル（表示パネル１０１、表示パネル１０２、表示パネル１０３および表示パネル１０４）と、軸１１１と、筐体１１２と、支持体１１３と、額縁１１４と、ローラ１２１と、モータ１２２（図示しない）と、を有する（図６（Ａ）、（Ｂ）参照）。４つの表示パネル、軸１１１、筐体１１２、支持体１１３、額縁１１４、ローラ１２１およびモータ１２２については、実施の形態１の説明を参照できる。
【０１０３】
また、電子機器１５０はバッテリ１４１、制御回路１４２、スリップリング１４５、板１４９を有する（図６（Ｂ）、図７（Ａ）参照）。
【０１０４】
バッテリ１４１は筐体１１２の内部（例えば筐体１１２の底面上）に設けられ、軸１１１に電力を供給する機能を有する。バッテリ１４１は、ケーブル１４６およびスリップリング１４５を介して軸１１１と電気的に接続される。なお、バッテリ１４１が筐体１１２の底面から取り出せる構成とすることで、電子機器１５０の使用時間に応じてバッテリ１４１を交換することができる。また、バッテリ１４１は制御回路１４２と電気的に接続されていてもよい。
【０１０５】
制御回路１４２は筐体１１２の内部（例えば筐体１１２の底面上）に設けられ、軸１１１が有する動作回路（図示しない）の動作を補助する機能を有する。たとえば、制御回路１４２は４つの表示パネルの表示を制御する機能を有する。また、制御回路１４２は電子データを保持する記憶装置（例えば、ＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ、フラッシュメモリなど）を有する。また、制御回路１４２は軸１１１と無線通信を行うための送信器または／および受信器を有する。軸１１１は、制御回路１４２と無線通信を行うための受信器または／および送信器を有する。なお、制御回路１４２がバッテリを有していてもよい。また、制御回路１４２がケーブル１４６およびスリップリング１４５を介して軸１１１と電気的に接続されていてもよい。
【０１０６】
スリップリング１４５は、リング部１４５ａおよびブラシ部１４５ｂを含む。図７（Ｂ）に、スリップリング１４５における配線等の接続を説明するための上面模式図の一例を示す。図７（Ｂ）にはスリップリング１４５のほかに、表示パネル１０１、支持体１１３、回転軸１２６およびケーブル１４６の一部を示している。
【０１０７】
リング部１４５ａでは、配線１１１Ｌと電気的に接続されたリング状の配線１４５ａＬが回転側面において露出している。配線１１１Ｌは、回転軸１２６の内部を通って軸１１１（図示しない）と電気的に接続される。リング部１４５ａは回転軸１２６に固定されており、回転軸１２６が回転するとリング部１４５ａも回転する。また、ブラシ部１４５ｂでは、ケーブル１４６の内部を通る配線１４６Ｌがブラシ状の導電体１４５ｂＬと電気的に接続される。導電体１４５ｂＬは配線１４５ａＬと固定されずに接触しているため、電子機器１５０の使用においてリング部１４５ａが回転しても電気的な接続を維持することができる。図７（Ｂ）では回転軸１２６およびリング部１４５ａが回転する中心軸を一点鎖線で示し、ブラシ部１４５ｂの一部を覆うケースを点線で示す。
【０１０８】
なお、図７（Ｂ）では電子機器１５０が配線１１１Ｌ、配線１４５ａＬ、導電体１４５ｂＬおよび配線１４６Ｌをそれぞれ２つずつ有する例を示したが、これらをそれぞれ３つ以上有していてもよい。
【０１０９】
板１４９は、バッテリ１４１と４つの表示パネルの間、および制御回路１４２と４つの表示パネルの間に設けられる（図７（Ａ）参照）。電子機器１５０が板１４９を有することで、４つの表示パネルがバッテリ１４１および制御回路１４２と接触することを防止できる。
【０１１０】
本実施の形態は、少なくともその一部を本明細書中に記載する他の実施の形態と適宜組み合わせて実施することができる。
【０１１１】
（実施の形態３）
本実施の形態では、本発明の一態様の電子機器に用いることができる表示パネルの一例について、図８および図９を用いて説明する。以下で例示する表示パネルは、反射型の表示素子と、発光型の表示素子との双方を有し、反射モードと透過モードの両方の表示を行うことのできる表示パネルである。
【０１１２】
なお、本実施の形態では、反射型の表示素子として液晶素子を用いた表示装置の構成を例示したが、反射型の表示素子として、液晶素子のほかに、シャッター方式のＭＥＭＳ（Ｍｉｃｒｏ  Ｅｌｅｃｔｒｏ  Ｍｅｃｈａｎｉｃａｌ  Ｓｙｓｔｅｍ）素子、光干渉方式のＭＥＭＳ素子、マイクロカプセル方式、電気泳動方式、エレクトロウェッティング方式、電子粉流体（登録商標）方式等を適用した表示素子などを用いることができる。
【０１１３】
また、本実施の形態では、発光型の表示素子として有機ＥＬ素子を用いた表示装置の構成を例示したが、発光型の表示素子として、有機ＥＬ素子のほかに、ＬＥＤ（Ｌｉｇｈｔ  Ｅｍｉｔｔｉｎｇ  Ｄｉｏｄｅ）、ＱＬＥＤ（Ｑｕａｎｔｕｍ−ｄｏｔ  Ｌｉｇｈｔ  Ｅｍｉｔｔｉｎｇ  Ｄｉｏｄｅ）、半導体レーザなどの自発光性の発光素子を用いることができる。
【０１１４】
本実施の形態で説明する表示パネルは、液晶素子を用いて表示を行う反射モードにおいて、低消費電力で駆動させることができる。また、外光の照度が高い環境においては視認性の高い表示を行える。一方で、有機ＥＬ素子を用いて表示を行う透過モードにおいては、色再現性の高い鮮やかな表示を行える。
【０１１５】
よって、該表示パネルを実施の形態１で説明する本発明の一態様の電子機器に用いることで、例えば学校で使用される教科書として該電子機器を好適に用いることができる。例えば、カラーの絵や写真を含むページは透過モードで表示し、文章の多いページは反射モードで表示することで、必要な表示品位を満たしかつ低消費電力で電子機器を駆動させることができる。消費電力が低いとバッテリを充電する頻度を減らすことができるため、授業中にバッテリが切れる等の不都合を減らすことができる。
【０１１６】
＜３−１．表示パネルの構成例＞
図８は、本発明の一態様の表示パネル６００の斜視概略図である。表示パネル６００は、基板６５１と基板６６１とが貼り合わされた構成を有する。図８では、基板６６１を破線で明示している。
【０１１７】
表示パネル６００は、表示部６６２、回路６５９、配線６６６等を有する。表示部６６２は、基板６５１上（表示パネル６００の第１の面側）に設けられる。基板６５１には、例えば回路６５９、配線６６６、および画素電極として機能する導電膜６６３等が設けられる。また図８では基板６５１上にＩＣ６７３が、基板６５１の表面が露出している側（表示パネル６００の第２の面側）にＦＰＣ６７２がそれぞれ実装されている例を示している。そのため、図８に示す構成は、表示パネル６００とＦＰＣ６７２およびＩＣ６７３を有する表示モジュールと言うこともできる。
【０１１８】
回路６５９は、例えば走査線駆動回路として機能する回路を用いることができる。
【０１１９】
配線６６６は、表示部や回路６５９に信号や電力を供給する機能を有する。当該信号や電力は、ＦＰＣ６７２を介して外部、またはＩＣ６７３から配線６６６に入力される。
【０１２０】
また、図８では、ＣＯＧ（ＣｈｉｐＯｎＧｌａｓｓ）方式等により、基板６５１にＩＣ６７３が設けられている例を示している。ＩＣ６７３は、例えば走査線駆動回路、または信号線駆動回路などとしての機能を有するＩＣを適用できる。なお表示パネル６００が走査線駆動回路および信号線駆動回路として機能する回路を備える場合や、走査線駆動回路や信号線駆動回路として機能する回路を外部に設け、ＦＰＣ６７２を介して表示パネル６００を駆動するための信号を入力する場合などでは、ＩＣ６７３を設けない構成としてもよい。また、ＩＣ６７３を、ＣＯＦ（ＣｈｉｐＯｎＦｉｌｍ）方式等により、ＦＰＣ６７２に実装してもよい。
【０１２１】
図８には、表示部６６２の一部の拡大図を示している。表示部６６２には、複数の表示素子が有する導電膜６６３がマトリクス状に配置されている。導電膜６６３は、可視光を反射する機能を有し、後述する液晶素子６４０の反射電極として機能する。
【０１２２】
また、図８に示すように、導電膜６６３は開口を有する。さらに導電膜６６３よりも基板６５１側に、発光素子６６０を有する。発光素子６６０からの光は、導電膜６６３の開口を介して基板６６１側に射出される。
【０１２３】
＜３−２．断面構成例＞
図９に、図８で例示した表示パネルの、ＦＰＣ６７２を含む領域の一部、回路６５９を含む領域の一部、および表示部６６２を含む領域の一部をそれぞれ切断したときの断面の一例を示す。
【０１２４】
表示パネルは、基板６５１と基板６６１の間に、絶縁膜６２０を有する。また基板６５１と絶縁膜６２０の間に、発光素子６６０、トランジスタ６０１、トランジスタ６０５、トランジスタ６０６、着色層６３４等を有する。また絶縁膜６２０と基板６６１の間に、液晶素子６４０、着色層６３１等を有する。また基板６６１と絶縁膜６２０は接着層６４１を介して接着され、基板６５１と絶縁膜６２０は接着層６４２を介して接着されている。
【０１２５】
トランジスタ６０６は、液晶素子６４０と電気的に接続し、トランジスタ６０５は、発光素子６６０と電気的に接続する。トランジスタ６０５とトランジスタ６０６は、いずれも絶縁膜６２０の基板６５１側の面上に形成されているため、これらを同一の工程を用いて作製することができる。
【０１２６】
基板６６１には、着色層６３１、遮光膜６３２、絶縁膜６２１、および液晶素子６４０の共通電極として機能する導電膜６１３、配向膜６３３ｂ、絶縁膜６１７等が設けられている。
【０１２７】
絶縁膜６１７は、液晶素子６４０のセルギャップを保持するためのスペーサとして機能する。また、絶縁膜６１７の代わりに、配向膜６３３ａと配向膜６３３ｂの間にポリマーを含む隔壁を設けることで、液晶素子６４０のセルギャップを保持する機能を高めることができる。例えば、液晶層６１２として液晶、モノマーおよび重合開始剤を含む材料を用い、導電膜６６３を遮光マスクとして用いて液晶層６１２の一部に対して光を照射することにより、液晶層６１２の導電膜６６３と重ならない領域においてモノマーが重合したポリマーを含む隔壁を形成できる。
【０１２８】
絶縁膜６２０の基板６５１側には、絶縁膜６８１、絶縁膜６８２、絶縁膜６８３、絶縁膜６８４、絶縁膜６８５等の絶縁層が設けられている。絶縁膜６８１は、その一部が各トランジスタのゲート絶縁層として機能する。絶縁膜６８２、絶縁膜６８３、および絶縁膜６８４は、各トランジスタを覆って設けられている。また絶縁膜６８４を覆って絶縁膜６８５が設けられている。絶縁膜６８４および絶縁膜６８５は、平坦化層としての機能を有する。なお、ここではトランジスタ等を覆う絶縁層として、絶縁膜６８２、絶縁膜６８３、絶縁膜６８４の３層を有する場合について示しているが、これに限られず４層以上であってもよいし、単層、または２層であってもよい。また平坦化層として機能する絶縁膜６８４は、不要であれば設けなくてもよい。
【０１２９】
また、トランジスタ６０１、トランジスタ６０５、およびトランジスタ６０６は、一部がゲートとして機能する導電膜６５４、一部がソースまたはドレインとして機能する導電膜６５２、半導体膜６５３を有する。ここでは、同一の導電膜を加工して得られる複数の層に、同じハッチングパターンを付している。
【０１３０】
液晶素子６４０は反射型の液晶素子である。液晶素子６４０は、導電膜６３５、液晶層６１２、導電膜６１３が積層された積層構造を有する。また導電膜６３５の基板６５１側に接して、可視光を反射性する導電膜６６３が設けられている。導電膜６６３は開口６５５を有する。また導電膜６３５および導電膜６１３は可視光を透過する材料を含む。また液晶層６１２と導電膜６３５の間に配向膜６３３ａが設けられ、液晶層６１２と導電膜６１３の間に配向膜６３３ｂが設けられている。また、基板６６１の外側の面には、偏光板６５６を有する。
【０１３１】
液晶素子６４０において、導電膜６６３は可視光を反射する機能を有し、導電膜６１３は可視光を透過する機能を有する。基板６６１側から入射した光は、偏光板６５６により偏光され、導電膜６１３、液晶層６１２を透過し、導電膜６６３で反射する。そして液晶層６１２および導電膜６１３を再度透過して、偏光板６５６に達する。このとき、導電膜６６３と導電膜６１３の間に与える電圧によって液晶の配向を制御し、光の光学変調を制御することができる。すなわち、偏光板６５６を介して射出される光の強度を制御することができる。また光は着色層６３１によって特定の波長領域以外の光が吸収されることにより、取り出される光は、例えば赤色を呈する光となる。
【０１３２】
発光素子６６０は、ボトムエミッション型の発光素子である。発光素子６６０は、絶縁膜６２０側から導電膜６４３、ＥＬ層６４４、および導電膜６４５ｂの順に積層された積層構造を有する。また導電膜６４５ｂを覆って導電膜６４５ａが設けられている。導電膜６４５ｂは可視光を反射する材料を含み、導電膜６４３および導電膜６４５ａは可視光を透過する材料を含む。発光素子６６０が発する光は、着色層６３４、絶縁膜６２０、開口６５５、導電膜６１３等を介して、基板６６１側に射出される。
【０１３３】
ここで、図９に示すように、開口６５５には可視光を透過する導電膜６３５が設けられていることが好ましい。これにより、開口６５５と重なる領域においてもそれ以外の領域と同様に液晶層６１２が配向するため、これらの領域の境界部で液晶の配向不良が生じ、意図しない光が漏れてしまうことを抑制できる。
【０１３４】
ここで、基板６６１の外側の面に配置する偏光板６５６として直線偏光板を用いてもよいが、円偏光板を用いることもできる。円偏光板としては、例えば直線偏光板と１／４波長位相差板を積層したものを用いることができる。これにより、外光反射を抑制することができる。また、偏光板の種類に応じて、液晶素子６４０に用いる液晶素子のセルギャップ、配向、駆動電圧等を調整することで、所望のコントラストが実現されるようにすればよい。
【０１３５】
また導電膜６４３の端部を覆う絶縁膜６４６上には、絶縁膜６４７が設けられている。絶縁膜６４７は、絶縁膜６２０と基板６５１が必要以上に接近することを抑制するスペーサとしての機能を有する。またＥＬ層６４４や導電膜６４５ａを遮蔽マスク（メタルマスク）を用いて形成する場合には、当該遮蔽マスクが被形成面に接触することを抑制するためのマスクギャッパとしての機能を有していてもよい。なお、絶縁膜６４７は不要であれば設けなくてもよい。
【０１３６】
トランジスタ６０５のソースまたはドレインの一方は、導電膜６４８を介して発光素子６６０の導電膜６４３と電気的に接続されている。
【０１３７】
トランジスタ６０６のソースまたはドレインの一方は、接続部６０７を介して導電膜６６３と電気的に接続されている。導電膜６６３と導電膜６３５は接して設けられ、これらは電気的に接続されている。ここで、接続部６０７は、絶縁膜６２０に設けられた開口を介して、絶縁膜６２０の両面に設けられる導電層同士を接続する部分である。
【０１３８】
接続部６０４は、接続層６４９を介してＦＰＣ６７２と電気的に接続されている。接続部６０４には導電膜６４８と同一の導電膜を加工して得られた導電膜および導電膜６４３と同一の導電膜を加工して得られた導電膜が設けられる。ＦＰＣ６７２は基板６５１の表面が露出している側、すなわち表示パネル６００の第２の面側に設けられる。
【０１３９】
接着層６４１が設けられる一部の領域には、接続部６８７が設けられている。接続部６８７において、導電膜６３５と同一の導電膜を加工して得られた導電層と、導電膜６１３の一部が、接続体６８６により電気的に接続されている。したがって、基板６６１側に形成された導電膜６１３に、基板６５１側に接続されたＦＰＣ６７２から入力される信号または電位を、接続部６８７を介して供給することができる。
【０１４０】
接続体６８６としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体６８６として、弾性変形、または塑性変形する材料を用いることが好ましい。このとき導電性の粒子である接続体６８６は、図９に示すように上下方向に潰れた形状となる場合がある。こうすることで、接続体６８６と、これと電気的に接続する導電層との接触面積が増大し、接触抵抗を低減できるほか、接続不良などの不具合の発生を抑制することができる。
【０１４１】
接続体６８６は、接着層６４１に覆われるように配置することが好ましい。例えば接着層６４１となるペースト等を塗布した後に、接続体６８６を散布すればよい。
【０１４２】
図９では、回路６５９の例としてトランジスタ６０１が設けられている例を示している。
【０１４３】
図９では、トランジスタ６０１およびトランジスタ６０５の例として、チャネルが形成される半導体膜６５３を２つのゲートで挟持する構成が適用されている。一方のゲートは導電膜６５４により、他方のゲートは絶縁膜６８２を介して半導体膜６５３と重なる導電膜６２３により構成されている。このような構成とすることで、トランジスタのしきい値電圧を制御することができる。このとき、２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示パネルを大型化、または高精細化したときに配線数が増大したとしても、各配線における信号遅延を低減することが可能であり、表示ムラを抑制することができる。
【０１４４】
なお、回路６５９が有するトランジスタと、表示部６６２が有するトランジスタは、同じ構造であってもよい。また回路６５９が有する複数のトランジスタは、全て同じ構造であってもよいし、異なる構造のトランジスタを組み合わせて用いてもよい。また、表示部６６２が有する複数のトランジスタは、全て同じ構造であってもよいし、異なる構造のトランジスタを組み合わせて用いてもよい。
【０１４５】
トランジスタに用いる半導体材料の結晶性は特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０１４６】
また、トランジスタに用いる半導体材料としては、金属酸化物を用いることができる。代表的には、インジウムを含む金属酸化物などを適用できる。特に、トランジスタに用いる金属酸化物は、実施の形態５で説明するＣＡＣ−ＯＳを用いるのが好ましい。
【０１４７】
特にシリコンよりもバンドギャップが広く、且つキャリア密度の小さい半導体材料を用いると、トランジスタのオフ状態における電流を低減できるため好ましい。
【０１４８】
半導体層は、例えば少なくともインジウム、亜鉛及びＭ（アルミニウム、チタン、ガリウム、ゲルマニウム、イットリウム、ジルコニウム、ランタン、セリウム、スズ、ネオジムまたはハフニウム等の金属）を含むＩｎ−Ｍ−Ｚｎ系酸化物で表記される膜を含むことが好ましい。また、該金属酸化物を用いたトランジスタの電気特性のばらつきを減らすため、それらと共に、スタビライザーを含むことが好ましい。
【０１４９】
スタビライザーとしては、上記Ｍで記載の金属を含め、例えば、ガリウム、スズ、ハフニウム、アルミニウム、またはジルコニウム等がある。また、他のスタビライザーとしては、ランタノイドである、ランタン、セリウム、プラセオジム、ネオジム、サマリウム、ユウロピウム、ガドリニウム、テルビウム、ジスプロシウム、ホルミウム、エルビウム、ツリウム、イッテルビウム、ルテチウム等がある。
【０１５０】
半導体層を構成する金属酸化物として、例えば、Ｉｎ−Ｇａ−Ｚｎ系酸化物、Ｉｎ−Ａｌ−Ｚｎ系酸化物、Ｉｎ−Ｓｎ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。
【０１５１】
なお、ここで、Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
【０１５２】
各トランジスタを覆う絶縁膜６８２、絶縁膜６８３のうち少なくとも一方は、水や水素などの不純物が拡散しにくい材料を用いることが好ましい。すなわち、絶縁膜６８２または絶縁膜６８３はバリア膜として機能させることができる。このような構成とすることで、トランジスタに対して外部から不純物が拡散することを効果的に抑制することが可能となり、信頼性の高い表示パネルを実現できる。
【０１５３】
基板６６１側において、着色層６３１、遮光膜６３２を覆って絶縁膜６２１が設けられている。絶縁膜６２１は、平坦化層としての機能を有していていもよい。絶縁膜６２１により、導電膜６１３の表面を概略平坦にできるため、液晶層６１２の配向状態を均一にできる。
【０１５４】
表示パネル６００を作製する方法の一例について説明する。例えば第１の剥離層を有する第１の支持基板上に、導電膜６３５、導電膜６６３、絶縁膜６２０を順に形成し、その後、トランジスタ６０５、トランジスタ６０６、発光素子６６０等を形成した後、接着層６４２を用いて絶縁膜６９１および第２の剥離層を有する第２の支持基板と第１の支持基板を貼り合せる。その後、第１の剥離層と絶縁膜６２０、および第１の剥離層と導電膜６３５のそれぞれの界面で剥離することにより、第１の支持基板および第１の剥離層を除去する。またこれとは別に、第３の剥離層、絶縁膜６９２、着色層６３１、遮光膜６３２、導電膜６１３等をあらかじめ形成した第３の支持基板を準備する。次に第２の支持基板または第３の支持基板に液晶層６１２を滴下し、接着層６４１により第２の支持基板と第３の支持基板を貼り合せる。そして第２の支持基板および第２の剥離層を除去して可撓性を有する基板６５１を接着層６９６を介して絶縁膜６９１と貼り合わせ、第３の支持基板および第３の剥離層を除去して可撓性を有する基板６６１を接着層６９７を介して絶縁膜６９２と貼り合わせることで、可撓性を有する表示パネル６００を作製することができる。
【０１５５】
剥離層としては、絶縁膜６２０および導電膜６３５との界面で剥離が生じる材料を適宜選択することができる。特に、剥離層としてタングステンなどの高融点金属材料を含む層と当該金属材料の酸化物を含む層を積層して用い、剥離層上の絶縁膜６２０として、窒化シリコンや酸化窒化シリコン、窒化酸化シリコン等を複数積層した層を用いることが好ましい。剥離層に高融点金属材料を用いると、これよりも後に形成する層の形成温度を高めることが可能で、不純物の濃度が低減され、信頼性の高い表示パネルを実現できる。
【０１５６】
導電膜６３５としては、金属酸化物、または金属窒化物等の酸化物または窒化物を用いることが好ましい。金属酸化物を用いる場合には、水素、ボロン、リン、窒素、およびその他の不純物の濃度、並びに酸素欠損量の少なくとも一が、トランジスタに用いる半導体層に比べて高められた材料を、導電膜６３５に用いればよい。
【０１５７】
＜３−３．各構成要素について＞
以下では、上記に示す各構成要素について説明する。
【０１５８】
［接着層］
接着層としては、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０１５９】
また、上記樹脂に乾燥剤を含んでいてもよい。例えば、アルカリ土類金属の酸化物（酸化カルシウムや酸化バリウム等）のように、化学吸着によって水分を吸着する物質を用いることができる。または、ゼオライトやシリカゲル等のように、物理吸着によって水分を吸着する物質を用いてもよい。乾燥剤が含まれていると、水分などの不純物が素子に侵入することを抑制でき、表示パネルの信頼性が向上するため好ましい。
【０１６０】
また、上記樹脂に屈折率の高いフィラーや光散乱部材を混合することにより、光取り出し効率を向上させることができる。例えば、酸化チタン、酸化バリウム、ゼオライト、ジルコニウム等を用いることができる。
【０１６１】
［接続層］
接続層としては、異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０１６２】
［着色層］
着色層に用いることのできる材料としては、金属材料、樹脂材料、顔料または染料が含まれた樹脂材料などが挙げられる。
【０１６３】
［遮光層］
遮光層として用いることのできる材料としては、カーボンブラック、チタンブラック、金属、金属酸化物、複数の金属酸化物の固溶体を含む複合酸化物等が挙げられる。遮光層は、樹脂材料を含む膜であってもよいし、金属などの無機材料の薄膜であってもよい。また、遮光層に、着色層の材料を含む膜の積層膜を用いることもできる。例えば、ある色の光を透過する着色層に用いる材料を含む膜と、他の色の光を透過する着色層に用いる材料を含む膜との積層構造を用いることができる。着色層と遮光層の材料を共通化することで、装置を共通化できるほか工程を簡略化できるため好ましい。
【０１６４】
以上が各構成要素についての説明である。
【０１６５】
＜３−４．作製方法例＞
ここでは、可撓性を有する基板を用いた表示パネルの作製方法の例について説明する。
【０１６６】
ここでは、表示素子、回路、配線、電極、着色層や遮光層などの光学部材、および絶縁層等が含まれる層をまとめて素子層と呼ぶこととする。例えば、素子層は表示素子を含み、表示素子の他に表示素子と電気的に接続する配線、画素や回路に用いるトランジスタなどの素子を備えていてもよい。
【０１６７】
また、ここでは、表示素子が完成した（作製工程が終了した）段階において、素子層を支持し、可撓性を有する部材のことを、基板と呼ぶこととする。例えば、基板には、厚さが１０ｎｍ以上３００μｍ以下の、極めて薄いフィルム等も含まれる。
【０１６８】
可撓性を有し、絶縁表面を備える基板上に素子層を形成する方法としては、代表的には以下に挙げる２つの方法がある。一つは、基板上に直接、素子層を形成する方法である。もう一つは、基板とは異なる支持基板上に素子層を形成した後、素子層と支持基材を剥離し、素子層を基板に転置する方法である。なお、ここでは詳細に説明しないが、上記２つの方法に加え、可撓性を有さない基板上に素子層を形成し、当該基板を研磨等により薄くすることで可撓性を持たせる方法もある。
【０１６９】
基板を構成する材料が、素子層の形成工程にかかる熱に対して耐熱性を有する場合には、基板上に直接、素子層を形成すると、工程が簡略化されるため好ましい。このとき、基板を支持基材に固定した状態で素子層を形成すると、装置内、および装置間における搬送が容易になるため好ましい。
【０１７０】
また、素子層を支持基材上に形成した後に、基板に転置する方法を用いる場合、まず支持基材上に剥離層と絶縁層を積層し、当該絶縁層上に素子層を形成する。続いて、支持基材と素子層の間で剥離し、素子層を基板に転置する。このとき、支持基材と剥離層の界面、剥離層と絶縁層の界面、または剥離層中で剥離が生じるような材料を選択すればよい。この方法では、支持基材や剥離層に耐熱性の高い材料を用いることで、素子層を形成する際に素子層を形成する際にかかる温度の上限を高めることができ、より信頼性の高い素子を有する素子層を形成できるため、好ましい。
【０１７１】
例えば剥離層として、タングステンなどの高融点金属材料を含む層と、当該金属材料の酸化物を含む層を積層して用い、剥離層上の絶縁層として、酸化シリコン、窒化シリコン、酸化窒化シリコン、窒化酸化シリコンなどを複数積層した層を用いることが好ましい。
【０１７２】
素子層と支持基材とを剥離する方法としては、機械的な力を加えることや、剥離層をエッチングすること、または剥離界面に液体を浸透させることなどが、一例として挙げられる。または、剥離界面を形成する２層の熱膨張の違いを利用し、加熱または冷却することにより剥離を行ってもよい。
【０１７３】
また、支持基材と絶縁層の界面で剥離が可能な場合には、剥離層を設けなくてもよい。
【０１７４】
例えば、支持基材としてガラスを用い、絶縁層としてポリイミドなどの有機樹脂を用いることができる。このとき、レーザ光等を用いて有機樹脂の一部を局所的に加熱する、または鋭利な部材により物理的に有機樹脂の一部を切断、または貫通すること等により剥離の起点を形成し、ガラスと有機樹脂の界面で剥離を行ってもよい。また、上記の有機樹脂としては、感光性の材料を用いると、開口部などの形状を容易に作製しやすいため好適である。また、上記のレーザ光としては、例えば、可視光線から紫外線の波長領域の光であることが好ましい。例えば波長が２００ｎｍ以上４００ｎｍ以下の光、好ましくは波長が２５０ｎｍ以上３５０ｎｍ以下の光を用いることができる。特に、波長３０８ｎｍのエキシマレーザを用いると、生産性に優れるため好ましい。また、Ｎｄ：ＹＡＧレーザの第三高調波である波長３５５ｎｍのＵＶレーザなどの固体ＵＶレーザ（半導体ＵＶレーザともいう）を用いてもよい。
【０１７５】
または、支持基材と有機樹脂からなる絶縁層の間に発熱層を設け、当該発熱層を加熱することにより、当該発熱層と絶縁層の界面で剥離を行ってもよい。発熱層としては、電流を流すことにより発熱する材料、光を吸収することにより発熱する材料、磁場を印加することにより発熱する材料など、様々な材料を用いることができる。例えば発熱層としては、半導体、金属、絶縁体から選択して用いることができる。
【０１７６】
なお、上述した方法において、有機樹脂からなる絶縁層は、剥離後に基板として用いることができる。
【０１７７】
以上が可撓性を有する表示パネルを作製する方法についての説明である。
【０１７８】
なお、本実施の形態で示す構成、方法は、他の実施の形態で示す構成、方法と適宜組み合わせて用いることができる。
【０１７９】
（実施の形態４）
本実施の形態では、実施の形態３で説明する表示パネルが有する、画素の構成例について説明する。なお、本実施の形態では、反射型の表示素子として液晶素子を用い、発光型の表示素子として有機ＥＬ素子を用いる場合を例に挙げて、本発明の一態様に係る画素３００の構成例について説明する。
【０１８０】
図１０（Ａ）に示す画素３００は、画素３５０と画素３５１とを有する。そして、画素３５０は液晶素子３０１を有し、画素３５１は発光素子３０２を有する。
【０１８１】
具体的に、画素３５０は、液晶素子３０１と、液晶素子３０１に印加する電圧を制御する機能を有するトランジスタ３０３と、容量素子３０４とを有する。そして、トランジスタ３０３は、ゲートが配線ＧＬに電気的に接続され、ソース又はドレインの一方が配線ＳＬに電気的に接続され、ソース又はドレインの他方が液晶素子３０１の画素電極に電気的に接続されている。また、液晶素子３０１の共通電極は、所定の電位が供給される配線または電極に電気的に接続されている。また、容量素子３０４は、一方の電極が、液晶素子３０１の画素電極に電気的に接続され、他方の電極が、所定の電位が供給される配線または電極に電気的に接続されている。
【０１８２】
また、具体的に、画素３５１は、発光素子３０２と、発光素子３０２に供給する電流を制御する機能を有するトランジスタ３０５と、トランジスタ３０５のゲートへの電位の供給を制御する機能を有するトランジスタ３０６と、容量素子３０７とを有する。そして、トランジスタ３０６は、ゲートが配線ＧＥに電気的に接続され、ソース又はドレインの一方が配線ＤＬに電気的に接続され、ソース又はドレインの他方がトランジスタ３０５のゲートに電気的に接続されている。トランジスタ３０５は、ソース又はドレインの一方が配線ＡＬに電気的に接続され、ソース又はドレインの他方が発光素子３０２に電気的に接続されている。容量素子３０７は、一方の電極が配線ＡＬに電気的に接続され、他方の電極がトランジスタ３０５のゲートに電気的に接続されている。
【０１８３】
図１０（Ａ）に示す画素３００では、液晶素子３０１に対応した画像信号を配線ＳＬに供給し、発光素子３０２に対応した画像信号を配線ＤＬに供給することで、液晶素子３０１によって表示される輝度と、発光素子３０２によって表示される輝度とを個別に制御することができる。
【０１８４】
なお、図１０（Ａ）では、液晶素子３０１を有する画素３５０と、発光素子３０２を有する画素３５１とを一つずつ有する画素３００の構成例を示したが、画素３００が複数の画素３５０を有していても良いし、或いは画素３００が複数の画素３５１を有していても良い。
【０１８５】
図１０（Ｂ）に、画素３００が一の画素３５１と、４つの画素３５１を有している場合の、画素３００の構成例を示す。
【０１８６】
具体的に図１０（Ｂ）に示す画素３００は、液晶素子３０１を有する画素３５１と、発光素子３０２をそれぞれ有する画素３５１ａ乃至画素３５１ｄとを有する。
【０１８７】
図１０（Ｂ）に示す画素３５０の構成については、図１０（Ａ）に示す画素３５０の構成を参照することができる。
【０１８８】
また、図１０（Ｂ）に示す画素３５１ａ乃至画素３５１ｄは、図１０（Ａ）に示す画素３５１と同様に、発光素子３０２と、発光素子３０２に供給する電流を制御する機能を有するトランジスタ３０５と、トランジスタ３０５のゲートへの電位の供給を制御する機能を有するトランジスタ３０６と、容量素子３０７とをそれぞれ有する。そして、画素３５１ａ乃至画素３５１ｄがそれぞれ有する発光素子３０２から発せられる光が、異なる領域の波長を有することで、表示装置においてカラーの画像を表示することが可能になる。
【０１８９】
また、図１０（Ｂ）に示す画素３５１ａ乃至画素３５１ｄでは、画素３５１ａの有するトランジスタ３０６のゲートと、画素３５１ｃの有するトランジスタ３０６のゲートとが、配線ＧＥｂに電気的に接続されている。また、画素３５１ｂの有するトランジスタ３０６のゲートと、画素３５１ｄの有するトランジスタ３０６のゲートとが、配線ＧＥａに電気的に接続されている。
【０１９０】
また、図１０（Ｂ）に示す画素３５１ａ乃至画素３５１ｄでは、画素３５１ａの有するトランジスタ３０６のソース又はドレインの一方と、画素３５１ｂの有するトランジスタ３０６のソース又はドレインの一方とが、配線ＤＬａに電気的に接続されている。また、画素３５１ｃの有するトランジスタ３０６のソース又はドレインの一方と、画素３５１ｄの有するトランジスタ３０６のソース又はドレインの一方とが、配線ＤＬｂに電気的に接続されている。
【０１９１】
また、図１０（Ｂ）に示す画素３５１ａ乃至画素３５１ｄでは、全てのトランジスタ３０５のソース又はドレインの一方が、配線ＡＬに電気的に接続されている。
【０１９２】
上述したように、図１０（Ｂ）に示す画素３５１ａ乃至画素３５１ｄでは、画素３５１ａと画素３５１ｃが配線ＧＥｂを共有し、画素３５１ｂと画素３５１ｄが配線ＧＥａを共有しているが、画素３５１ａ乃至画素３５１ｄの全てが一の配線ＧＥを共有していても良い。この場合、画素３５１ａ乃至画素３５１ｄは、互いに異なる４つの配線ＤＬに電気的に接続されるようにすることが望ましい。
【０１９３】
次いで、図１１（Ａ）に、図１０（Ａ）とは異なる画素３００の構成例を示す。図１１（Ａ）に示す画素３００は、画素３５１が有するトランジスタ３０５がバックゲートを有する点において、図１０（Ａ）に示す画素３００と構成が異なる。
【０１９４】
具体的に、図１１（Ａ）に示す画素３００では、トランジスタ３０５のバックゲートがゲート（フロントゲート）に電気的に接続されている。図１１（Ａ）に示す画素３００は、上記構成を有することにより、トランジスタ３０５の閾値電圧がシフトするのを抑えることができ、トランジスタ３０５の信頼性を高めることができる。また、図１１（Ａ）に示す画素３００は、上記構成を有することにより、トランジスタ３０５のサイズを小さく抑えつつ、トランジスタ３０５のオン電流を高めることができる。
【０１９５】
なお、本発明の一態様に係る表示装置では、画素３００が、図１１（Ａ）に示す画素３５０を複数有していても良いし、或いは図１１（Ａ）に示す画素３５１を複数有していても良い。具体的には、図１０（Ｂ）に示した画素３００と同様に、図１１（Ａ）に示す１つの画素３５０と、４つの画素３５１とを有していても良い。その場合、各種配線と４つの画素３５１との接続関係は、図１０（Ｂ）に示した画素３００を参照することができる。
【０１９６】
次いで、図１１（Ｂ）に、図１０（Ａ）とは異なる画素３００の構成例を示す。図１１（Ｂ）に示す画素３００は、画素３５１が有するトランジスタ３０５がバックゲートを有する点において、図１０（Ａ）に示す画素３００と構成が異なる。そして、図１１（Ｂ）に示す画素３００では、トランジスタ３０５のバックゲートがゲートではなく発光素子３０２に電気的に接続されている点において、図１１（Ａ）に示す画素３００と構成が異なる。
【０１９７】
図１１（Ｂ）に示す画素３００は、上記構成を有することにより、トランジスタ３０５の閾値電圧がシフトするのを抑えることができ、トランジスタ３０５の信頼性を高めることができる。
【０１９８】
なお、本発明の一態様に係る表示装置では、画素３００が、図１１（Ｂ）に示す画素３５０を複数有していても良いし、或いは図１１（Ｂ）に示す画素３５１を複数有していても良い。具体的には、図１０（Ｂ）に示した画素３００と同様に、図１１（Ｂ）に示す１つの画素３５０と、４つの画素３５１とを有していても良い。その場合、各種配線と４つの画素３５１との接続関係は、図１０（Ｂ）に示した画素３００を参照することができる。
【０１９９】
本実施の形態は、他の実施の形態と適宜組み合わせて実施することが可能である。
【０２００】
（実施の形態５）
以下では、本発明の一態様に係るトランジスタに用いることができるＣＡＣ（Ｃｌｏｕｄ  Ａｌｉｇｎｅｄ  Ｃｏｍｐｌｅｍｅｎｔａｒｙ）−ＯＳの構成について説明する。
【０２０１】
＜ＣＡＣ−ＯＳの構成＞
ＣＡＣ−ＯＳとは、例えば、金属酸化物を構成する元素が、０．５ｎｍ以上１０ｎｍ以下、好ましくは、１ｎｍ以上２ｎｍ以下、またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下、またはその近傍のサイズで混合した状態をモザイク状、またはパッチ状ともいう。
【０２０２】
なお、金属酸化物は、少なくともインジウムを含むことが好ましい。特にインジウムおよび亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれていてもよい。
【０２０３】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、およびＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、およびＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０２０４】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０２０５】
なお、ＩＧＺＯは通称であり、Ｉｎ、Ｇａ、Ｚｎ、およびＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０２０６】
上記結晶性の化合物は、単結晶構造、多結晶構造、またはＣＡＡＣ（ｃ−ａｘｉｓ−ａｌｉｇｎｅｄ  ｃｒｙｓｔａｌｌｉｎｅ、又はｃ−ａｘｉｓ−ａｌｉｇｎｅｄ  ａ−ｂ−ｐｌａｎｅ−ａｎｃｈｏｒｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０２０７】
一方、ＣＡＣ−ＯＳは、金属酸化物の材料構成に関する。ＣＡＣ−ＯＳとは、Ｉｎ、Ｇａ、Ｚｎ、およびＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０２０８】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０２０９】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０２１０】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０２１１】
ＣＡＣ−ＯＳは、例えば基板を加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０２１２】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、およびｃ軸方向の配向は見られないことが分かる。
【０２１３】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、および断面方向において、配向性を有さないｎｃ（ｎａｎｏ−ｃｒｙｓｔａｌ）構造を有することがわかる。
【０２１４】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０２１５】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０２１６】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、金属酸化物としての導電性が発現する。従って、ＩｎＸ２ＺｎＹ２ＯＺ２、またはＩｎＯＸ１が主成分である領域が、金属酸化物中にクラウド状に分布することで、高い電界効果移動度（μ）が実現できる。
【０２１７】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、金属酸化物中に分布することで、リーク電流を抑制し、良好なスイッチング動作を実現できる。
【０２１８】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、および高い電界効果移動度（μ）を実現することができる。
【０２１９】
また、ＣＡＣ−ＯＳを用いた半導体素子は、信頼性が高い。従って、ＣＡＣ−ＯＳは、ディスプレイをはじめとするさまざまな半導体装置に最適である。
【０２２０】
本実施の形態は、少なくともその一部を本明細書中に記載する他の実施の形態と適宜組み合わせて実施することができる。
【符号の説明】
【０２２１】
１００    電子機器
１００Ａ    電子機器
１００Ｂ    電子機器
１０１    表示パネル
１０１Ｄ    表示部
１０１Ｆ    ＦＰＣ
１０２    表示パネル
１０２Ｄ    表示部
１０２Ｆ    ＦＰＣ
１０３    表示パネル
１０３Ｄ    表示部
１０３Ｆ    ＦＰＣ
１０４    表示パネル
１０４Ｄ    表示部
１０４Ｆ    ＦＰＣ
１１１    軸
１１１Ｃ    中心
１１１Ｌ    配線
１１２    筐体
１１３    支持体
１１４    額縁
１１５Ｔ１２    タッチパネル
１１５Ｔ４１    タッチパネル
１２１    ローラ
１２１Ｔ    頂部
１２２    モータ
１２３    プーリ
１２５    近接センサ
１２５ａ    センサ部分
１２５ｂ    センサ部分
１２５ｃ    センサ部分
１２６    回転軸
１２７    回転軸
１２８    回転軸
１３１    ページ
１３２    ページ
１３３    ページ
１３４    ページ
１３６    矢印
１３７    矢印
１３８    矢印
１４１    バッテリ
１４２    制御回路
１４５    スリップリング
１４５ａ    リング部
１４５ａＬ    配線
１４５ｂ    ブラシ部
１４５ｂＬ    導電体
１４６    ケーブル
１４６Ｌ    配線
１４９    板
１５０    電子機器
３００    画素
３０１    液晶素子
３０２    発光素子
３０３    トランジスタ
３０４    容量素子
３０５    トランジスタ
３０６    トランジスタ
３０７    容量素子
３５０    画素
３５１    画素
３５１ａ    画素
３５１ｂ    画素
３５１ｃ    画素
３５１ｄ    画素
６００    表示パネル
６０１    トランジスタ
６０４    接続部
６０５    トランジスタ
６０６    トランジスタ
６０７    接続部
６１２    液晶層
６１３    導電膜
６１７    絶縁膜
６２０    絶縁膜
６２１    絶縁膜
６２３    導電膜
６３１    着色層
６３２    遮光膜
６３３ａ    配向膜
６３３ｂ    配向膜
６３４    着色層
６３５    導電膜
６４０    液晶素子
６４１    接着層
６４２    接着層
６４３    導電膜
６４４    ＥＬ層
６４５ａ    導電膜
６４５ｂ    導電膜
６４６    絶縁膜
６４７    絶縁膜
６４８    導電膜
６４９    接続層
６５１    基板
６５２    導電膜
６５３    半導体膜
６５４    導電膜
６５５    開口
６５６    偏光板
６５９    回路
６６０    発光素子
６６１    基板
６６２    表示部
６６３    導電膜
６６６    配線
６７２    ＦＰＣ
６７３    ＩＣ
６８１    絶縁膜
６８２    絶縁膜
６８３    絶縁膜
６８４    絶縁膜
６８５    絶縁膜
６８６    接続体
６８７    接続部
６９１    絶縁膜
６９２    絶縁膜
６９６    接着層
６９７    接着層
【図１】
2018010199.tif 000003
【図２】
2018010199.tif 000004
【図３】
2018010199.tif 000005
【図４】
2018010199.tif 000006
【図５】
2018010199.tif 000007
【図６】
2018010199.tif 000008
【図７】
2018010199.tif 000009
【図８】
2018010199.tif 000010
【図９】
2018010199.tif 000011
【図１０】
2018010199.tif 000012
【図１１】
2018010199.tif 000013